(57)【要約】【課題】誤った飲料の供給を解消し、安価に安全な飲料供給を実現することができる飲料ディスペンサを提供する。【解決手段】複数種類の飲料をカップＣに供給可能とされた飲料ディスペンサ１において、飲料を特定する情報が付与された飲料プレートＰと、この飲料プレートＰに付与された情報を読み取り可能なプレート読取装置２６と、制御装置３１とを備え、この制御装置３１は、プレート読取装置２６にて読み取られた情報に基づいてカップＣに供給する飲料を識別し、識別された当該飲料をカップＣに供給する。【選択図】図１
2015029544.tif 000002
【特許請求の範囲】
【請求項１】
複数種類の飲料をカップに供給可能とされた飲料ディスペンサにおいて、
前記飲料を特定する情報が付与された飲料プレートと、
該飲料プレートに付与された情報を読み取り可能なプレート読取装置と、
制御装置とを備え、
該制御装置は、前記プレート読取装置にて読み取られた情報に基づいて前記カップに供給する飲料を識別し、識別された当該飲料を前記カップに供給することを特徴とする飲料ディスペンサ。
【請求項２】
表示装置と、操作装置とを備え、
前記制御装置は、前記飲料プレートに付与された情報が読み取られ、飲料を供給可能な状態となった場合に前記表示装置にて表示すると共に、
その状態で前記操作装置への操作に基づき、前記カップに飲料を供給する飲料供給動作を開始することを特徴とする請求項１に記載の飲料ディスペンサ。
【請求項３】
前記制御装置は、前記飲料供給動作中であることを前記表示装置にて表示することを特徴とする請求項２に記載の飲料ディスペンサ。
【請求項４】
前記制御装置は、前記飲料を特定する情報が読み取られた前記飲料プレートを回収することを特徴とする請求項２乃至請求項３のうちの何れかに記載の飲料ディスペンサ。
【請求項５】
前記飲料プレートが装着されるプレート装着部と、
飲料原料が充填された原料カプセルと、
該原料カプセルに高温湯を供給して飲料を抽出する飲料抽出装置とを備え、
前記飲料プレートは、前記原料カプセルを保持する保持部を有し、該保持部に前記原料カプセルを保持した状態で、前記プレート装着部に装着され、その状態で前記プレート読取装置により、前記飲料プレートに付与された情報が読み取られると共に、
前記制御装置は、前記プレート装着部に装着された前記飲料プレートに保持された状態の前記原料カプセルに前記飲料抽出装置から高温湯を供給し、飲料を抽出することを特徴とする請求項１乃至請求項４のうちの何れかに記載の飲料ディスペンサ。
【請求項６】
前記飲料プレートは、複数の前記保持部を有すると共に、
前記制御装置は、前記飲料プレートに保持された複数の前記原料カプセルから前記飲料抽出装置により抽出することを特徴とする請求項５に記載の飲料ディスペンサ。
【請求項７】
前記飲料プレートは、前記カップに飲料を注入する飲料注入ノズルを有することを特徴とする請求項１乃至請求項６のうちの何れかに記載の飲料ディスペンサ。
【発明の詳細な説明】
【技術分野】
【０００１】
本発明は、複数種類の飲料を供給可能とされた飲料ディスペンサに関するものである。
【背景技術】
【０００２】
従来より此の種飲料ディスペンサは、飲料原料から飲料を抽出し、更に他の飲料原料を調合する等して複数種類の飲料（例えば、ブレンドコーヒー、アメリカンコーヒー、アイスコーヒー（大）、アイスコーヒー（小）、ラテ等）を製造し、カップに供給可能とされている（例えば、特許文献１参照）。
【０００３】
また、近年コンビニエンスストア等に設置され出したセルフ式の飲料ディスペンサの場合は、レジにて料金を支払い、カップを購入して顧客が飲料ディスペンサにカップをセットし、購入した飲料の選択ボタンを押す。飲料ディスペンサは押された飲料を製造してカップ内に供給するという方式が採られている。
【先行技術文献】
【特許文献】
【０００４】
【特許文献１】特開２０１０−２２４８８２号公報
【発明の概要】
【発明が解決しようとする課題】
【０００５】
このようなセルフ式の飲料販売では、購入した飲料を飲料ディスペンサで選択する際に顧客が戸惑い、誤って購入したものとは異なる飲料の選択ボタンを押してしまう場合があった。係る場合、特にホット飲料（ブレンドコーヒー等）とコールド飲料（アイスコーヒー等）とを間違えると、カップのサイズも異なるために零れてしまい、火傷を負う危険性や衛生上の問題が生じる。
【０００６】
そのため、前記特許文献１ではＩＣタグをカップに設けて飲料ディスペンサで飲料の情報を読み取り、読み取った情報で飲料を製造して供給する方式としているが、ＩＣタグは高価であり、カップと共に使い捨てされるため、コスト上の問題が生じる。
【０００７】
本発明は、係る従来の技術的課題を解決するために成されたものであり、誤った飲料の供給を解消し、安価に安全な飲料供給を実現することができる飲料ディスペンサを提供するものである。
【課題を解決するための手段】
【０００８】
上記課題を解決するために本発明は、複数種類の飲料をカップに供給可能とされた飲料ディスペンサにおいて、飲料を特定する情報が付与された飲料プレートと、この飲料プレートに付与された情報を読み取り可能なプレート読取装置と、制御装置とを備え、この制御装置は、プレート読取装置にて読み取られた情報に基づいてカップに供給する飲料を識別し、識別された当該飲料をカップに供給することを特徴とする。
【０００９】
請求項２の発明の飲料ディスペンサは、上記発明において表示装置と、操作装置とを更に備え、制御装置は、飲料プレートに付与された情報が読み取られ、飲料を供給可能な状態となった場合に表示装置にて表示すると共に、その状態で操作装置への操作に基づき、カップに飲料を供給する飲料供給動作を開始することを特徴とする。
【００１０】
請求項３の発明の飲料ディスペンサは、上記発明において制御装置は、飲料供給動作中であることを表示装置にて表示することを特徴とする。
【００１１】
請求項４の発明の飲料ディスペンサは、請求項２又は請求項３の発明において制御装置は、飲料を特定する情報が読み取られた飲料プレートを回収することを特徴とする。
【００１２】
請求項５の発明の飲料ディスペンサは、上記各発明において飲料プレートが装着されるプレート装着部と、飲料原料が充填された原料カプセルと、この原料カプセルに高温湯を供給して飲料を抽出する飲料抽出装置とを更に備え、飲料プレートは、原料カプセルを保持する保持部を有し、この保持部に原料カプセルを保持した状態で、プレート装着部に装着され、その状態でプレート読取装置により、飲料プレートに付与された情報が読み取られると共に、制御装置は、プレート装着部に装着された飲料プレートに保持された状態の原料カプセルに飲料抽出装置から高温湯を供給し、飲料を抽出することを特徴とする。
【００１３】
請求項６の発明の飲料ディスペンサは、上記発明において飲料プレートは、複数の保持部を有すると共に、制御装置は、飲料プレートに保持された複数の原料カプセルから飲料抽出装置により抽出することを特徴とする。
【００１４】
請求項７の発明の飲料ディスペンサは、上記各発明において飲料プレートは、カップに飲料を注入する飲料注入ノズルを有することを特徴とする。
【発明の効果】
【００１５】
本発明によれば、複数種類の飲料をカップに供給可能とされた飲料ディスペンサにおいて、飲料を特定する情報が付与された飲料プレートと、この飲料プレートに付与された情報を読み取り可能なプレート読取装置と、制御装置とを備え、この制御装置は、プレート読取装置にて読み取られた情報に基づいてカップに供給する飲料を識別し、識別された当該飲料をカップに供給するようにしたので、カップには飲料プレートに付与された情報で特定された飲料が供給されることになり、誤った飲料がカップに注入される不都合を回避することができる。
【００１６】
これにより、カップから飲料が溢れて漏電が発生し、或いは、顧客が火傷を負う不都合も解消され、衛生的にも良好なものとなる。また、飲料選択ボタンも不要となるので、操作も簡単なものとなるので、購買意欲の増大にも寄与すると共に、部品コストの削減も図ることができる。
【００１７】
特に、飲料を特定する情報はカップとは異なる飲料プレートに付与されるかたちを採っているため、例えば請求項４の発明の如く飲料を特定する情報を読み取った飲料プレートを回収してリサイクルすることにより、コストの削減を図ることができる。これらにより、安全、安心、且つ、安価で、衛生的な飲料供給を実現することが可能となるものである。
【００１８】
また、請求項２の発明の如く表示装置と操作装置とを更に設け、制御装置が、飲料プレートに付与された情報を読み取って、飲料を供給可能な状態となった場合に表示装置にて表示すると共に、その状態で操作装置への操作に基づき、カップに飲料を供給する飲料供給動作を開始するようにすれば、顧客は飲料プレートから情報が読み取られたことを確認でき、更に、自らのタイミングで操作装置を操作し、カップに飲料を供給することが可能となる。
【００１９】
これにより、飲料プレートからの情報が読み取られていないのでは無いかという顧客の不安を解消することができると共に、誤ってカップをセットする前に飲料の供給動作が自動的に開始されてしまう不都合も未然に回避することができるようになる。
【００２０】
また、請求項３の発明の如く制御装置が、飲料供給動作中であることを表示装置にて表示するようにすれば、顧客は飲料供給動作が終了した後にカップを取り出すことができるようになり、火傷等を負う危険性もなくなる。
【００２１】
そして、請求項５の発明によれば、上記各発明に加えて飲料プレートが装着されるプレート装着部と、飲料原料が充填された原料カプセルと、この原料カプセルに高温湯を供給して飲料を抽出する飲料抽出装置とを更に備え、飲料プレートは、原料カプセルを保持する保持部を有し、この保持部に原料カプセルを保持した状態で、プレート装着部に装着され、その状態でプレート読取装置により、飲料プレートに付与された情報が読み取られると共に、制御装置は、プレート装着部に装着された飲料プレートに保持された状態の原料カプセルに飲料抽出装置から高温湯を供給し、飲料を抽出するので、飲料原料が充填された原料カプセルに高温湯を供給して飲料を抽出する場合に、飲料プレートが飲料ディスペンサへの原料カプセルの装着と位置決めの機能を奏することになる。
【００２２】
そして、プレート読取装置は、原料カプセルを保持してプレート装着部に装着された飲料プレートの情報を読み取るので、原料カプセル内の飲料原料に適した条件で飲料の抽出を自動的に行うことができるようになる。これらにより、著しい部品点数の簡素化と、操作性、安全性の向上を図ることが可能となる。
【００２３】
この場合、請求項６の発明の如く飲料プレートに複数の保持部を設け、制御装置が、飲料プレートに保持された複数の原料カプセルから飲料抽出装置により抽出するようにすれば、例えば、粉ミルクが充填された原料カプセルとコーヒー原料が充填された原料カプセルを飲料プレートに保持させることにより、ラテやカプチーノなどの複数種類の飲料を調合して作る飲料も自動的に製造してカップに供給することが可能となる。
【００２４】
更に、請求項７の発明の如く飲料プレートに、カップに飲料を注入する飲料注入ノズルを設けることにより、例えばミルク等の変質し易い飲料を供給する際に、飲料プレートの飲料注入ノズルを利用してカップに供給できるようになる。そして、飲料プレートを請求項４の発明のように回収して再利用する際には、飲料プレートの飲料注入ノズルを洗浄すればよく、飲料ディスペンサ自体にノズルを設ける場合に比して洗浄作業が容易となる。また、ミキシングボウルから飲料供給部に垂れ落ちる飲料の後垂れを防ぐことができるので、ドリップトレイにあるカップ置き台を清浄に保ち、カップの底面を汚さずに飲料を提供することできる。これらにより、衛生管理面で極めて大きなメリットがある。
【図面の簡単な説明】
【００２５】
【図１】本発明を適用した一実施例の飲料ディスペンサの斜視図である（実施例１）。
【図２】図１の飲料ディスペンサの正面図である。
【図３】図１の飲料ディスペンサの前面カバーを開いた状態の正面図である。
【図４】図１の飲料ディスペンサの側面図である。
【図５】図１の飲料ディスペンサの内部構成を示す側面図である。
【図６】本発明で使用する飲料プレートの平面図である。
【図７】図６の飲料プレートの穿孔情報を説明する図である。
【図８】図１の飲料ディスペンサの電気回路のブロック図である。
【図９】図８の各記憶部に記憶された情報を説明する図である。
【図１０】図８の制御装置の動作を説明するフローチャートである。
【図１１】本発明を適用した他の実施例の飲料ディスペンサの斜視図である（実施例２）。
【図１２】図１１の飲料ディスペンサの正面図である。
【図１３】図１１の飲料ディスペンサの前面カバーを開いた状態の正面図である。
【図１４】図１１の飲料ディスペンサの内部構成を説明する側面図である。
【図１５】原料カプセルを保持した一実施例の飲料プレートの平面図である。
【図１６】図１５の飲料プレートの縦断側面図である。
【図１７】原料カプセルを保持した他の実施例の飲料プレートの平面図である。
【図１８】図１７の飲料プレートの縦断側面図である。
【図１９】二つの原料カプセルを保持したもう一つの他の実施例の飲料プレートの平面図である。
【図２０】図１９の飲料プレートの縦断側面図である。
【発明を実施するための形態】
【００２６】
以下、本発明の実施の形態について、図面に基づき詳細に説明する。
【実施例１】
【００２７】
図１乃至図５において、本発明を適用した実施例の飲料ディスペンサ１は例えばコンビニエンスストアに設置されたコーヒーディスペンサであり、複数種類のコーヒー（飲料）、実施例ではブレンドコーヒー、アメリカンコーヒー、アイスコーヒー（大）、アイスコーヒー（小）、ラテ（後述する実施例２〜実施例４の場合）を供給可能とされている。飲料ディスペンサ１の本体２の上部両側には給水タンク３がそれぞれ着脱自在に取り付けられている。この給水タンク３はコーヒーの抽出に必要な湯を生成するための水を貯留するものであり、実施例では一つが約２．５Ｌ、両方で合計５Ｌの容量を有している。この量は一杯の販売量が平均２００ｍｌ（ホット、コールド、大カップ、小カップ等の平均値）の場合に２５杯分を賄える計算となる。
【００２８】
本体２内の中央上部には飲料原料となるコーヒー豆を互いに隔絶された領域に、コーヒー豆の種類毎に個別に収納する豆キャニスタ４が配置されており、この豆キャニスタ４の下部には豆原料供給部６が設けられている。この豆原料供給部６の前下方の本体２内には、コーヒー豆を粉砕するコーヒーミル７が配置されている。このコーヒーミル７は、販売毎に豆原料供給部６により豆キャニスタ４から搬送される所定量（一杯分）のコーヒー豆を所定の粒度に粉砕し、抽出機８に供給する。
【００２９】
この抽出機８は本体２内下部の中央に配置されており、この抽出機８の後側の本体２内には、ボイラーから成る給湯部９が配置されている。給水タンク３内の水は給水経路１０、流量計１１を介して電磁ポンプ１２により吸引され、この電磁ポンプ１２から圧力安全弁１３を介して給湯部９に所定量給水される。この湯量は流量計１１で計測される。また、圧力安全弁１３に規定圧力以上の圧力が加わった場合には、後述するドリップトレイ１９に排水される。給湯部９は例えば３００ｍｌ程の容量の密閉式ボイラーであり、常時＋９５℃程の高温湯を生成するように温調されている。そして、電磁ポンプ１２から水が供給されると、給湯部９内の高温湯が押し出され、給湯経路１５、電磁弁１４を介して抽出機８に供給される構成とされている。そして、この実施例では抽出機８、電磁弁１４、給湯部９、圧力安全弁１３、電磁ポンプ１２等が飲料抽出装置を構成する。
【００３０】
抽出機８はシリンダを有した所謂エスプレッソ抽出方式のコーヒー抽出機であり、コーヒーミル７で粉砕されたコーヒー豆をシリンダ内で圧縮し、圧縮したコーヒー豆（飲料原料）に給湯部９からの高温湯を通すことで、コーヒーを抽出する。抽出されたコーヒー（飲料）は本体２の中央前面下部に構成された飲料供給部１６に配置されたカップＣに供給される。この飲料供給部１６の上側にはノズル１７が配置されており、抽出機８で製造されたコーヒーはノズル１７からカップＣに注入される。
【００３１】
このノズル１７は飲料供給部１６直上のノズルカバー１８にて覆われている。また、飲料供給部１６の下部には簀の子として機能するドリップトレイ１９が配置され、カップＣはこのドリップトレイ１９上に載置されてセットされる。また、抽出が終了すると、抽出機８は抽出滓を図示しない滓バケツに廃棄する。
【００３２】
飲料供給部１６の上方に位置するノズルカバー１８上側の本体２の前面中央部は開閉可能な前面カバー２１で覆われており、この前面カバー２１には、操作装置としての販売ボタン２２が配置されている。この販売ボタン２２には表示装置を構成する後述する表示部２３を構成する緑色ＬＥＤ２０Ｇと赤色ＬＥＤ２０Ｒが内蔵されており、この販売ボタン２２のＬＥＤ２０Ｇ、２０Ｒは実施例では点滅（早さ変化）及び連続点灯で飲料ディスペンサ１の動作状態を表示する。また、この販売ボタン２２上方の前面カバー２１には同じく表示部２３を構成する液晶パネルから成るディスプレイ２５も配置されている。
【００３３】
また、この販売ボタン２２の向かって左側の本体２前面には、プレート装着部２４が配置されている。このプレート装着部２４は上下に長いスリット状を呈しており、本発明で採用する飲料プレートＰが差し込まれて装着される。飲料プレートＰはレジにて購入するものであり、料金と引き替えに顧客は飲料プレートＰとカップＣを受け取る。
【００３４】
図６はこの飲料プレートＰを示している。飲料プレートＰは短冊状を呈する所定強度の板体であり、実施例では隅角部に最大で四つの孔Ｈ１〜Ｈ４が穿設されている。先端部の孔Ｈ１は飲料プレートＰが所定位置に装着（セット）されたか否かを判断する孔であり、手前の三つの孔Ｈ２〜Ｈ４の組み合わせ（穿孔情報）で飲料の種類が特定され、飲料プレートＰに飲料に関する情報が付与される。実施例では、図７に示すように最も先端側の孔Ｈ２のみでブレンドコーヒー、その手前の二番目の孔Ｈ３のみでアメリカンコーヒー、孔Ｈ２と最も手前の三番目の孔Ｈ４でアイスコーヒー（大）、孔Ｈ３と孔Ｈ４でアイスコーヒー（小）、孔Ｈ２とＨ３でラテを特定する。
【００３５】
尚、実施例では三つの孔Ｈ２〜Ｈ４でコーヒー（飲料）の種類を特定しているが、更に他種類のコーヒー（飲料）を供給する場合には、孔の数を増やして飲料を特定可能な組み合わせを増やせばよい。また、穿孔情報に加え、飲料プレートの表面に「アイス」、「ホット」等の温度情報、「ブレンドコーヒー」、「ラテ」等の飲料の種類情報、カップのサイズ情報（大、中、小）を目視で確認できる標記を設けてもよい。このような目視標記を設けることで、レジにて顧客にプレートＰとカップＣを渡す際にカップサイズを間違って渡すことを防止できる。また、顧客も飲料プレートの目視標記を確認することで、購入した飲料の種類を確認することができる。
【００３６】
この飲料プレートＰの穿孔情報は、プレート装着部２４に差し込まれ、所定位置に装着された状態で、本体２内に設けられたプレート読取装置２６（図８）により読み取られる。そして、プレート読取装置２６で読み取られた飲料プレートＰは、プレート読取装置２６から排出され、本体２内に設けられた回収ボックスＢ（図８）に自動的に回収されて再利用されることになる。
【００３７】
尚、このようにプレート読取装置２６が排出するのでは無く、次の飲料プレートＰが差し込まれたことで、既に差し込まれていた飲料プレートＰが押し出されて回収ボックスＢに排出されるかたちを採っても良い。係る構成によれば、プレート読取装置２６に飲料プレートＰの排出機構等の回収装置を別途設ける必要がなくなり、コストの削減を図ることができる。
【００３８】
次に、図８において３１はマイクロコンピュータから構成された制御装置であり、この制御装置３１には、前述した抽出機８、豆原料供給部６、コーヒーミル７、流量計１１、電磁ポンプ１２、給湯部９が接続され、これらが調合制御部３２となる。また、制御装置３１には前述したプレート読取装置２６と販売ボタン２２、表示部２３が接続されている。この表示部２３は前述した如くディスプレイ２５と販売ボタン２２に内蔵されたＬＥＤから構成される。
【００３９】
制御装置３１には更に、豆キャニスタ４内のコーヒー豆や給水タンク３内の水等が無くなっていることを検知する売切れ検知部３３が接続され、また、洗浄ボタン３４、抽出条件等入力装置３６、第１〜第４記憶部３７〜４０が接続されている。洗浄ボタン３４は電磁ポンプ１２を駆動して湯や水のみを抽出機８に供給し、各機器及び経路を洗浄する洗浄動作を実行させるためのボタンである。抽出条件等入力装置３６は後述するコーヒー（飲料）の抽出条件等を設定するキーボードである。
【００４０】
また、第１記憶部３７には図９に示すように前述した飲料プレートＰの穿孔情報と対応して飲料情報が記憶されている。第２記憶部３８にはこの飲料情報と対応して、各飲料の抽出するお湯の量（湯量）、豆原料の量、蒸らし湯量、蒸らし時間（抽出機８）等の抽出条件が記憶されている。例えば、ブレンドコーヒー：抽出湯量２００ｍｌ、豆原料１０ｇ、蒸らし湯量１０ｍｌ、蒸らし時間５ｓ、アメリカンコーヒー：抽出湯量２００ｍｌ、豆原料９ｇ、蒸らし湯量０ｍｌ、蒸らし時間０ｓ、アイスコーヒー（大）：抽出湯量１２０ｍｌ、豆原料１５ｇ、蒸らし湯量１０ｍｌ、蒸らし時間５ｓ、アイスコーヒー（小）：抽出湯量８０ｍｌ、豆原料１２ｇ、蒸らし湯量１０ｍｌ、蒸らし時間５ｓである。
【００４１】
また、第３記憶部３９には飲料情報と対応して調理方法が記憶されている。更に、第４記憶部４０には洗浄ボタン３４の操作で実行する洗浄方法が記憶されている。尚、以上の設定は前述したように抽出条件等入力装置３６で任意に変更可能とされている。
【００４２】
尚、後述する実施例２〜実施例４では粉原料を使用するため、売切れ検知部３３は粉の売り切れも検知し、第２記憶部３８には粉原料の量や粉原料用の湯量も記憶され、第４記憶部４０にはミキシングボウル（後述）の洗浄方法も記憶されているものとする。
【００４３】
以上の構成で、次に図１０のフローチャートを参照しながら実施例の飲料ディスペンサ１の動作を説明する。待機状態で制御装置３１は販売ボタン２２の表示部２３を消灯している。顧客はレジでブレンドコーヒー、アメリカンコーヒー、アイスコーヒー（大）、アイスコーヒー（小）のうちの何れかを購入する。この場合は、ブレンドコーヒーを購入したものとすると、顧客はブレンドコーヒーの飲料プレートＰとカップＣを店員から受け取る。そして、待機状態の飲料ディスペンサ１の飲料供給部１６にカップＣを差し入れてドリップトレイ１９上に載置する。次に、顧客が装着部２４に飲料プレートＰを差し込むと、制御装置３１は図１０のステップＳ１で、プレート読取装置２６により装着された飲料プレートＰの穿孔情報を読み取り、飲料（この場合はブレンドコーヒー）を識別する。
【００４４】
次に、制御装置３１はステップＳ２で、穿孔情報が第１記憶部３７に登録されているものか否か判断する。ここで、飲料プレートＰの穿孔情報が登録されていないものである場合には、制御装置３１はステップＳ２からステップＳ１０に進み、販売ボタン２２の赤色ＬＥＤ２０Ｒを点滅させると共に、ディスプレイ２５に「ご利用できません」等の文言を表示し、ステップＳ１１で飲料プレートＰを装着部２４から押し戻して返却する。尚、制御装置３１は販売準備中にも赤色ＬＥＤ２０Ｒを点滅すると共に、飲料ディスペンサ１に故障が発生した場合は赤色ＬＥＤ２０Ｒを点灯させて警報する。
【００４５】
一方、ステップＳ２で飲料プレートＰから読み取られた穿孔情報が登録されているものである場合（ここではブレンドコーヒー）、制御装置３１はステップＳ３に進んで読み取った飲料の原料が売切れになっていないか判断する。ここで、ブレンドコーヒーであるから豆キャニスタ４内のブレンドコーヒーに対応したコーヒー豆が売り切れていないか判断し、売り切れている場合にはステップＳ１０、ステップＳ１１に進んで前述同様の動作を実行する。
【００４６】
ステップＳ３で飲料原料が売切れでは無い場合、制御装置３１はステップＳ４に進んで当該飲料プレートＰを取り込み、プレート読取装置２６から排出して本体２内に設けられた回収ボックスＢに回収する。そして、この回収ボックスＢ内の飲料プレートＰは再利用されることになる。
【００４７】
次に、ステップＳ５で穿孔情報から提供する飲料を確定（この場合ブレンドコーヒー）し、販売ボタン２２の緑色ＬＥＤ２０Ｇを点灯させる。これにより、販売可・飲料種類の識別済みを顧客に報知する。次に、ステップＳ６で確定した飲料（ブレンドコーヒー）に対応して第２記憶部３８に格納されている抽出条件を読み出し、ステップＳ７で販売ボタン２２が押されたか（操作されたか）否か判断する。
【００４８】
この販売ボタン２２の緑色ＬＥＤ２０Ｇの緑色発光を見て顧客が販売ボタン２２を押すと、制御装置３１はステップＳ７からステップＳ８に進み、飲料供給動作（販売処理）を実行すると共に、販売ボタン２２の緑色ＬＥＤ２０Ｇを点滅させる。即ち、制御装置３１は前述した如く豆原料供給部６により豆キャニスタ４内のコーヒー豆を所定量コーヒーミル７に供給する。そして、コーヒーミル７を駆動してコーヒー豆を粉砕し、抽出機８に供給する。
【００４９】
次に、第２記憶部３８に記憶された蒸らし湯量となるように電磁ポンプ１２で給水タンク３内の水を流量計１１で計量しながら吸引して給湯部９に送り、その分の湯を給湯部９から抽出機８に送る。次に、第２記憶部３８に記憶された蒸らし時間が経過後、第２記憶部３８に記憶されたお湯量となるように電磁ポンプ１２で給水タンク３内の水を流量計１１で計量しながら吸引して給湯部９に送り、その分の湯を給湯部９から抽出機８に送る。そして、コーヒーミル７で粉砕されたコーヒー豆を抽出機８のシリンダ内で圧縮し、圧縮したコーヒー豆（飲料原料）に給湯部９からの高温湯を通すことで、コーヒーを抽出する。抽出されたコーヒー（飲料）はノズル１７から飲料供給部１６に配置されたカップＣに注入する（飲料供給動作）。尚、図８の調合制御部には図示しない製氷部が設けられており、飲料プレートＰに登録された飲料がアイスコーヒーである場合には、第３記憶部３９に記憶された飲料の調理方法に従い、第２記憶部に記憶された量の氷をカップＣに供給することができる。
【００５０】
また、制御装置３１は販売ボタン２２の緑色ＬＥＤ２０Ｇの点滅の早さで時間の経過（抽出の進行度合い）を顧客に知らせる。そして、所定量のブレンドコーヒーの提供（飲料供給動作）が終了すると、制御装置３１はステップＳ９で販売ボタン２２の緑色ＬＥＤ２０Ｇを消灯する。
【００５１】
このように、制御装置３１は、プレート読取装置２６にて読み取られた穿孔情報に基づいてカップＣに供給する飲料を識別し、識別された当該飲料をカップＣに供給するので、カップＣには飲料プレートＰに付与された穿孔情報で特定された飲料が供給されることになり、誤った飲料がカップＣに注入される不都合を回避することができる。
【００５２】
これにより、カップＣから飲料が溢れて漏電が発生したり、顧客が手等に火傷を負う不都合も解消されると共に、周囲が飲料で汚損されることも防止され、衛生的にも良好なものとなる。また、多数の飲料選択ボタンを設ける必要もなくなるので、操作も簡単なものとなり、操作の不安を無くして購買意欲の増大にも寄与すると共に、部品コストの削減も図ることができる。
【００５３】
特に、飲料を特定する情報（穿孔情報）はカップＣとは異なる飲料プレートＰに付与されるかたちを採っているため、穿孔情報を読み取った飲料プレートＰを回収してリサイクルすることにより、コストの削減を図ることができる。これらにより、安全、安心、且つ、安価で、衛生的な飲料供給を実現することが可能となる。
【００５４】
また、制御装置３１は、飲料プレートＰの穿孔情報を読み取って、飲料を供給可能な状態となった場合に緑色ＬＥＤ２０Ｇを点灯させて表示すると共に、その状態で販売ボタン２２が押された場合に飲料供給動作を開始するので、顧客は飲料プレートＰから情報が読み取られたことを確認でき、更に、自らのタイミングで販売ボタン２２を押し、カップＣに飲料を供給することが可能となる。
【００５５】
これにより、飲料プレートＰからの情報が読み取られていないのでは無いかという顧客の不安を解消することができると共に、誤ってカップＣを飲料供給部１６にセットする前に飲料の供給動作が自動的に開始されてしまう不都合も未然に回避することができるようになる。
【００５６】
また、制御装置３１は、飲料供給動作中であることを緑色ＬＥＤ２０Ｇの点滅で表示するので、緑色ＬＥＤ２０Ｇの消灯で顧客は飲料供給動作が終了したことを認識できる。これにより、顧客は飲料供給動作が終了した後にカップＣを取り出すことができるようになるので、火傷等を負う危険性が更に効果的に解消される。
【実施例２】
【００５７】
次に、図１１〜図１４を参照して本発明の他の実施例の飲料ディスペンサ１について詳述する。尚、各図において、図１〜図１０と同一符号は同一若しくは同様の機能を奏するものとする。この実施例は抽出機８を用いること無く、原料カプセル４１を用い、この原料カプセル４１に高温湯を直接供給して飲料を抽出するものである。原料カプセル４１にはブレンドコーヒーやアイスコーヒー等の所定のコーヒー原料（粉砕されているコーヒー豆）が充填されており、実施例ではその上面はフィルムにて封止され、下端には加圧により開放する孔（若しくは、常時開放の孔）が形成されているものとする。また、この実施例では電磁弁１４、給湯部９、圧力安全弁１３、電磁ポンプ１２等が原料カプセル４１により飲料を抽出する飲料抽出装置を構成することになる。
【００５８】
また、豆キャニスタ４は設けられず、代わりにミルクや砂糖、ココアなどの粉原料を互いに隔絶された領域に個別に収容した粉キャニスタ４２が搭載される。この粉キャニスタ４２内の粉原料は粉原料供給部４３にてミキシングボウル４４に所定量搬送される。このミキシングボウル４４には電磁弁４６を介して給湯部９から高温湯が供給され、ミキシングボウル４４内の飲料原料はノズル１７ＡによりカップＣに供給される構造とされている。これら粉原料供給部４３やミキシングボウル４４も制御装置３１に接続されている。
【００５９】
また、この実施例では飲料プレートＰに原料カプセル４１の保持部４７が形成されている。この保持部４７は原料カプセル４１の側面周囲を保持可能な寸法の凹陥形状を呈しており、下端には円形の孔４７Ａが形成されている。原料カプセル４１はこの保持部４７にセットされた状態で、その上面のフィルムは露出し、下端の孔は保持部４７の孔４７Ａから露出する。更に、この実施例では飲料プレートＰの装着部２４は飲料供給部１６の直上のノズルカバー１８内に構成されている。この場合、ノズルカバー１８は前面下部及び下面が開口されており、装着部２４はノズルカバー１８の前面下部の開口の左右両側から後方に延在する一対のレールにより構成されている。
【００６０】
次に、この実施例における飲料供給動作について説明する。顧客はレジで前述同様にブレンドコーヒー、アメリカンコーヒー、アイスコーヒー（大）、アイスコーヒー（小）、ラテのうちの何れかを購入する。この場合は、ラテを購入したものとすると、顧客はラテの飲料プレートＰ、原料カプセル４１とカップＣを店員から受け取る。そして、前述した待機状態の飲料ディスペンサ１の飲料供給部１６にカップＣを差し入れてドリップトレイ１９上に載置する。次に、顧客は図１６に示す如く飲料プレートＰの保持部４７に原料カプセル４１をセットして保持させ、装着部２４に前方から飲料プレートＰの左右縁を差し込んでノズルカバー１８内に押し込む。このようにして飲料プレートＰは装着部２４に装着される。また、装着部２４に飲料プレートＰを装着した状態で、原料カプセル４１は飲料供給部１６にセットされたカップＣの直上に位置する。
【００６１】
制御装置３１は前述同様にプレート読取装置２６により、装着部２４に装着された飲料プレートＰの穿孔情報（飲料であるラテを特定する穿孔情報）を読み取ることで提供する飲料を識別し（この場合ラテ）、識別した飲料に対応して第２記憶部３８に格納されている抽出条件を読み出す。そして、顧客により販売ボタン２２が押されると、制御装置３１は、第２記憶部３８に記憶されたお湯量となるように電磁ポンプ１２で給水タンク３内の水を流量計１１で計量しながら吸引して給湯部９に送り、その分の湯を給湯部９から電磁弁１４と給湯経路１５を介して原料カプセル４１に送る。装着部２４にセットされた段階で原料カプセル４１の上面のフィルムには給湯経路１５の先端に取り付けられた注入針１５Ａにより孔が形成される。そして、この孔から内部の原料（粉砕されたコーヒー）に給湯部９からの高温湯を通すことでコーヒーを抽出する。抽出されたコーヒー（飲料）は原料カプセル４１下端の孔から飲料供給部１６に配置されたカップＣに直接注入される。このとき原料カプセル４１は加圧されるが、原料カプセル４１の側面周囲が保持部４７により保持されているので、破壊されること無く、コーヒーは下端の孔から円滑に抽出される。尚、本実施例では保持部４７を設けたが、原料カプセル４１に供給する高温湯の圧力によっては保持部４７を設けなくてもよい。
【００６２】
また、粉原料供給部４３により粉キャニスタ４２内の例えばミルクを所定量ミキシングボウル４４に供給する。また、電磁弁４６を介して給湯部９から第２記憶部に記憶された所定量の高温湯をミキシングボウル４４に供給し、そこで混合する。混合されたミルク（液）はノズル１７Ａから飲料供給部１６に配置されたカップＣに注入する。これにより、カップＣ内でラテが製造されることになる（以上がこの場合の飲料供給動作）。
【００６３】
尚、この実施例では以上の飲料供給動作の終了後、プレート読取装置２６により飲料プレートＰ及び原料カプセル４１を回収ボックスＢに排出して回収する。同様にこの場合も飲料プレートＰは再利用されることになる。また、その他の動作（図１０のフローチャート）は前述の実施例と同様である。
【００６４】
以上のようにこの実施例では、飲料原料が充填された原料カプセル４１に高温湯を供給して飲料を抽出する飲料ディスペンサ１とし、飲料プレートＰには、原料カプセル４１を保持する保持部４７を構成し、この保持部４７に原料カプセル４１を保持した状態で、飲料プレートＰがプレート装着部２４に装着され、その状態でプレート読取装置２６により、飲料プレートＰの穿孔情報が読み取られる。そして、制御装置３１が、プレート装着部２４に装着された飲料プレートＰに保持された状態の原料カプセル４１に給湯部９から高温湯を供給し、飲料を抽出するようにしたので、飲料原料が充填された原料カプセル４１に高温湯を供給して飲料を抽出する場合に、飲料プレートＰが飲料ディスペンサ１への原料カプセル４１の装着と位置決めの機能を奏することになる。
【００６５】
そして、プレート読取装置２６は、原料カプセル４１を保持してプレート装着部２４に装着された飲料プレートＰの情報を読み取るので、原料カプセル４１内の飲料原料に適した条件で飲料の抽出を自動的に行うことができるようになる。これらにより、著しい部品点数の簡素化と、操作性、安全性の向上を図ることが可能となる。
【実施例３】
【００６６】
次に、図１７及び図１８は他の実施例の飲料プレートＰを示している。尚、各図において図１１〜図１６中と同一符号は同一若しくは同様の機能を奏するものとする。この場合、飲料プレートＰには更に飲料注入ノズル４８が形成されており、装着部２４に飲料プレートＰが装着された状態で、この飲料注入ノズル４８の下端はカップＣの直上に位置するように形成されている。また、この場合ノズル１７Ａは削除され、その代わりに装着部２４に装着された飲料プレートＰの飲料注入ノズル４８の上端がミキシングボウル４４に連通接続される構成とする。尚、本実施例では保持部４７を設けたが、原料カプセル４１に供給する高温湯の圧力によっては保持部４７を設けなくてもよい。
【００６７】
これにより、ミキシングボウル４４内のミルク（液）は飲料プレートＰの飲料注入ノズル４８からカップＣに注入されることになる。このように飲料プレートＰに、カップＣに飲料を注入する飲料注入ノズル４８を設けることにより、ミキシングボウル４４から飲料供給部１６に垂れ落ちる飲料の後垂れを防ぐことができる。これにより、ドリップトレイ１９にあるカップ置き台を清浄に保ち、カップＣの底面を汚さずに飲料を提供することができる。また、ミルク等の変質し易い飲料を供給する際に、飲料プレートＰの飲料注入ノズル４８からカップＣに供給できるようになるので、回収した飲料プレートＰの飲料注入ノズル４８を洗浄すればよくなり、図１４の如く飲料ディスペンサ１自体にノズル１７Ａを設ける場合に比して洗浄作業が容易となり、衛生管理面で極めて大きなメリットがある。
【実施例４】
【００６８】
また、図１９及び図２０は更に他の実施例の飲料プレートＰを示している。尚、各図において図１１〜図１８中と同一符号は同一若しくは同様の機能を奏するものとする。この場合、飲料プレートＰには原料カプセル４１の保持部４７が二つ（複数）形成されている。そして、制御装置３１はプレート読取装置２６を用い、装着部２４に飲料プレートＰが装着された状態で、先ず奥側の保持部４７に保持された原料カプセル４１をカップＣの直上に位置させ、給湯部９から高温湯を供給して抽出し、次に、手前側の保持部４７に保持された原料カプセル４１をカップＣの直上に位置させ、高温湯を供給して抽出する構成とされる。例えば、飲料プレートＰの奥側の保持部４７に粉体のミルクが充填された原料カプセル４１をセットし、手前側の保持部４７に粉砕されたコーヒーが充填された原料カプセル４１をセットしておくことで、カップＣにミルクが抽出された後にコーヒーが抽出される。このように、飲料プレートＰにセットする原料カプセルの位置により飲料の調理手順を決めることができる。
【００６９】
尚、本実施例では保持部４７を設けたが、原料カプセル４１に供給する高温湯の圧力によっては保持部４７を設けなくてもよい。また、保持部４７の数は二つに限らず、三つ以上あってもよい。このように飲料プレートＰに複数の保持部４７を設け、制御装置３１が、飲料プレートＰに保持された複数の原料カプセル４１から飲料を出するようにすれば、例えば、穿孔情報が前述したラテの場合、粉ミルクが充填された原料カプセル４１とコーヒー原料（粉砕されたコーヒー豆）が充填された原料カプセル４１を飲料プレートＰに保持させることにより、ラテ（カプチーノも可能）などの複数種類の飲料を調合して作る飲料も自動的に製造してカップＣに供給することが可能となる。
【００７０】
更に、この場合には図１４にあるような粉キャニスタ４２やミキシングボウル４４に関連する機構も不要となるので、構造の著しい簡素化を図ることが可能となる。
【符号の説明】
【００７１】
１  飲料ディスペンサ
２  本体
３  給水タンク
４  豆キャニスタ
７  コーヒーミル
８  抽出機
９  給湯部
２０Ｇ、２０Ｒ  緑色ＬＥＤ、赤色ＬＥＤ
２２  販売ボタン（操作装置）
２３  表示部
２４  装着部
２５  ディスプレイ
２６  プレート読取装置
３１  制御装置
４１  原料カプセル
４２  粉キャニスタ
４７  保持部
４８  飲料注入ノズル
Ｂ  回収ボックス
Ｈ１〜Ｈ４  孔（穿孔情報）
Ｐ  飲料プレート
【図１】
2015029544.tif 000003
【図２】
2015029544.tif 000004
【図３】
2015029544.tif 000005
【図４】
2015029544.tif 000006
【図５】
2015029544.tif 000007
【図６】
2015029544.tif 000008
【図７】
2015029544.tif 000009
【図８】
2015029544.tif 000010
【図９】
2015029544.tif 000011
【図１０】
2015029544.tif 000012
【図１１】
2015029544.tif 000013
【図１２】
2015029544.tif 000014
【図１３】
2015029544.tif 000015
【図１４】
2015029544.tif 000016
【図１５】
2015029544.tif 000017
【図１６】
2015029544.tif 000018
【図１７】
2015029544.tif 000019
【図１８】
2015029544.tif 000020
【図１９】
2015029544.tif 000021
【図２０】
2015029544.tif 000022